(57)【要約】      （修正有）【課題】安価な構成で、被洗浄面に傷をつけたり打痕を残したりすること無く、汚れの除去性能、洗浄性能に優れた洗車ブラシを提供する。【解決手段】回転軸２と、前記回転軸２の外周長手方向に固着された清掃体３を備え、前記清掃体３は、少なくとも１個の円筒状の部材からなると共に、前記回転軸２の周方向に複数の空洞部４を有するもので、清掃体３が車体（図示せず）などの被洗浄面に面接触すると共に、空洞部４により、清掃体３が被洗浄面の凹凸に沿って容易に変形するので、洗い残しが無く、洗浄性能、拭き取り性能が大幅に向上し、さらに被洗浄面に洗車傷を付着させることが無い。【選択図】図１
2008126787.tif 000002
【特許請求の範囲】
【請求項１】
回転軸と、前記回転軸の外周長手方向に固着された清掃体を備え、前記清掃体は、少なくとも１個の円筒状の部材からなると共に、前記回転軸の周方向に複数の空洞部を有する洗車ブラシ。
【請求項２】
清掃体を複数の円筒状の部材で形成すると共に、それぞれの空洞部を複数に分割した請求項１に記載の洗車ブラシ。
【請求項３】
清掃体の円周端部を、円筒状の第２の清掃体に内接させた請求項１又は２に記載の洗車ブラシ。
【請求項４】
清掃体及び／又は第２の清掃体の表面に、多数の凹凸及び／又は起毛を有する請求項１〜３のいずれか１項に記載の洗車ブラシ。
【請求項５】
請求項１〜４のいずれか１項に記載の洗車ブラシと、前記洗車ブラシの回転軸を回転駆動する駆動手段と、被洗浄面に洗浄水及び洗浄剤を噴射する複数のノズルと、洗浄後の前記被洗浄面を乾燥させる乾燥手段を備えた洗車装置。
【発明の詳細な説明】
【技術分野】
【０００１】
本発明は、洗車ブラシ及びそれを用いた洗車装置に関するものである。
【背景技術】
【０００２】
従来のこの種の洗車ブラシとして、回転軸の外周の周方向複数位置のそれぞれにスパイラル線に沿ってブラシ単体を取付けて構成したものがある（例えば、特許文献１参照）。このように構成された従来の洗車ブラシは、回転軸にスパイラル状に取り付けられたブラシ単体の先端が、被洗浄面に連続的に当接するので、ブラシ単体のブラシエッジによる汚れの掻き取り性能に優れている。
【０００３】
また、管状本体と、その管状本体の外周に支持されたブラシ毛から構成され、前記管状本体内に、流体を搬送するチャンネルを複数設け、内側から外側に向かってブラシ毛に流体を噴霧するようにした洗車ブラシがある（例えば、特許文献２参照）。このように構成された従来の洗車ブラシは、ブラシ毛に流体が噴霧されるため、ブラシ毛による洗浄効果は、大である。
【０００４】
また、回転体の外周に、円盤状にまたは軸方向にずらしながら螺旋状に洗浄体を取付けて構成した洗車ブラシもある（例えば、特許文献３参照）。
【０００５】
【特許文献１】特開２００５−１７０２２１号公報
【特許文献２】特表２００３−５２５７２８号公報
【特許文献３】特許第３５８５１７８号公報
【発明の開示】
【発明が解決しようとする課題】
【０００６】
しかしながら、上記特許文献１に記載された従来の洗車ブラシの構成では、ブラシ単体が回転軸にスパイラル状に取り付けられているので、被洗浄面との接触面積が小さく、効率的に汚れを除去することが困難であった。また、ブラシ単体を回転軸にスパイラル状に取り付けるために、回転軸をスパイラル状に捻ったり、ブラシ単体を装着する取付溝をスパイラル状に形成することは、コスト高の要因となり、洗車ブラシの工業用途に不向きであった。さらに、洗車ブラシの回転時に、ブラシ単体の先端で、被洗浄面を叩くような作用が働くため、被洗浄面に傷をつけたり打痕がつくなどの課題があった。
【０００７】
また、上記特許文献２に記載された従来の洗車ブラシの構成では、ブラシ毛に流体を噴霧し、ブラシ毛と流体噴霧の相乗効果により、汚れを除去するものの、ブラシ毛とブラシ毛の間には隙間が生じやすく、ブラシ毛が当たらない部分は洗い残しが発生するという課題を有していた。
【０００８】
また、上記特許文献３に記載された従来の洗車ブラシの構成では、軸方向に配設された洗浄体の間に隙間が生じ、洗い残しが発生し、洗浄性能が悪いという課題があった。
【０００９】
本発明は、前記従来の課題を解決するもので、安価な構成で、被洗浄面に傷をつけたり打痕を残したりすること無く、汚れの除去性能、洗浄性能に優れた洗車ブラシ及び洗車装置を提供する事を目的とする。
【課題を解決するための手段】
【００１０】
前記従来の課題を解決するために、本発明の洗車ブラシは、回転軸と、前記回転軸の外周長手方向に固着された清掃体を備え、前記清掃体は、少なくとも１個の円筒状の部材からなると共に、前記回転軸の周方向に複数の空洞部を有するもので、清掃体が被洗浄面に面接触すると共に、空洞部により、清掃体が被洗浄面の凹凸に沿って容易に変形するので、洗い残しが無く、洗浄性能、拭き取り性能が大幅に向上し、さらに被洗浄面に洗車傷を付着させることが無い。
【００１１】
本発明の洗車装置は、請求項１〜４のいずれか１項に記載の洗車ブラシと、前記洗車ブラシの回転軸を回転駆動する駆動手段と、被洗浄面に洗浄水及び洗浄剤を噴射する複数のノズルと、洗浄後の前記被洗浄面を乾燥させる乾燥手段を備えたもので、車体などの被洗浄面に傷をつけたり、打痕をつけることが無く、洗浄性能に優れた洗車装置を提供することができる。
【発明の効果】
【００１２】
本発明の洗車ブラシ及び洗車装置は、安価な構成で、被洗浄面に傷をつけたり打痕を残したりすること無く、汚れの除去性能、洗浄性能に優れたものである。
【発明を実施するための最良の形態】
【００１３】
第１の発明は、回転軸と、前記回転軸の外周長手方向に固着された清掃体を備え、前記清掃体は、少なくとも１個の円筒状の部材からなると共に、前記回転軸の周方向に複数の空洞部を有するもので、清掃体が被洗浄面に面接触すると共に、空洞部により、清掃体が被洗浄面の凹凸に沿って容易に変形するので、洗い残しが無く、洗浄性能、拭き取り性能が大幅に向上し、さらに被洗浄面に洗車傷を付着させることが無い。
【００１４】
第２の発明は、特に、第１の発明の清掃体を複数の円筒状の部材で形成すると共に、それぞれの空洞部を複数に分割したもので、空洞部が複数に分割されることにより、清掃体のクッション性が強くなるので、その分、清掃体を被洗浄面に強く押し付けることが出来るようになり、洗浄性能、拭き取り性能を更に向上させることができる。
【００１５】
第３の発明は、特に、第１又は第２の発明の清掃体の円周端部を、円筒状の第２の清掃体に内接させたもので、第２の清掃体が被洗浄面の表面形状に応じて連続的に摺接すると共に、内側の清掃体がクッションの役目をして適度の力で第２の清掃体が被洗浄面に押し付けられるので、洗浄性能、拭き取り性能、磨き性能が飛躍的に向上する。また、第２の清掃体が被洗浄面に連続的に摺接することにより、洗浄時の洗浄音が抑制され静音化を図ることが出来る。
【００１６】
第４の発明は、特に、第１〜３のいずれか一つの発明の清掃体及び／又は第２の清掃体の表面に、多数の凹凸及び／又は起毛を有するもので、多数の凹凸や起毛により、被洗浄面の塵埃の掻き出し性能が向上する。
【００１７】
第５の発明は、請求項１〜４のいずれか１項に記載の洗車ブラシと、前記洗車ブラシの回転軸を回転駆動する駆動手段と、被洗浄面に洗浄水及び洗浄剤を噴射する複数のノズルと、洗浄後の前記被洗浄面を乾燥させる乾燥手段を備えたもので、車体などの被洗浄面に傷をつけたり、打痕をつけることが無く、洗浄性能に優れた洗車装置を提供することができる。
【００１８】
以下、本発明の実施例について、図面を参照しながら説明する。なお、この実施例によって本発明が限定されるものではない。
【００１９】
（実施例１）
以下、本発明の第１の実施例における洗車ブラシについて、図１〜４を用いて説明する。図１は、本実施例における洗車ブラシの斜視図、図２は、同洗車ブラシの清掃体の組み立て前の斜視図、図３は、同清掃体の固定方法を示す部分側面図である。
【００２０】
図１〜３において、本実施例における洗車ブラシ１は、金属材料からなり筒状の回転軸２と、回転軸２の外周長手方向に固着され車体表面などの被洗浄面（図示せず）の汚れを除去する１個の清掃体３から構成されている。
【００２１】
清掃体３は、不織布、織布、編物などの布帛、合成樹脂発泡体、人工皮革、合成皮革、フイルム状樹脂シート、エラストマーシートなどからなると共に、図２に示すように、回転軸２に取り付けられる前は、筒状に形成されている。清掃体３を、筒状に形成するには、押し出し成形で一体的に筒状に形成したり、シート状の材料の両端を、接着、溶着或いは縫い合わせて形成するなどの方法があるが、その方法は、清掃体３に使用する材料、組み立て性、製造コスト等に応じて適宜決めるようにすれば良い。
【００２２】
清掃体３を回転軸２に固着するときは、図１に示すように、回転軸２の周方向に複数の空洞部４（本実施例では、４個）を形成するようにしながら、図１及び図３に示すように、リベット５を用いて、清掃体３の谷折り部３ａを、長手方向に沿って複数個所で回転軸２に固着している。清掃体３を回転軸２に固着する方法としては、ネジ止め、接着、溶着、或いは、特に図示しないが、回転軸２の外周長手方向に複数の溝を設け、その溝に清掃体３の谷折り部３ａを圧入するようにしても良い。
【００２３】
以上のように構成された本実施例における洗車ブラシの動作、作用について、図４を用いて説明する。
【００２４】
図４は、上記洗車ブラシ１を取り付けた洗車装置（図示せず）で、車体７の表面を洗浄する際の様子を示す断面図である。
【００２５】
洗車装置に取り付けられた洗車ブラシ１を図示しない駆動手段で回転させながら、図４に示すように、車体７の表面に押し付けながら、前部から後部或いは後部から前部にかけて移動させる。このとき、洗車ブラシ１の清掃体３は、複数の空洞部４を有しているので、図４に示すように、車体７の表面の形状、凹凸に沿って容易に変形しながら移動する。勿論、この間、洗車装置に設けたノズル（図示せず）から洗浄剤や洗浄液が車体７及び／又は洗車ブラシ１に噴射されるのは言うまでも無い。
【００２６】
以上のように、本実施例における洗車ブラシによれば、清掃体３が１個の筒状部材から形成されているので、安価で、組み立ても容易で、さらに清掃体３が被洗浄面に面接触すると共に、空洞部４により、清掃体３が被洗浄面の凹凸に沿って容易に変形するので、洗い残しが無く、洗浄性能、拭き取り性能が大幅に向上し、さらに被洗浄面に洗車傷を付着させることが無い。
【００２７】
なお、清掃体３の表面に、図５（ａ）に示すように多数の凹凸８ａ或いは、図５（ｂ）に示すように多数の起毛８ｂを設けるようにすれば、被洗浄面の塵埃の掻き出し性能を一層向上させることもできる。
【００２８】
(実施例２)
図６は、本発明の第２の実施例における洗車ブラシの部分斜視図である。なお、上記第１の実施例と同一部品については、同一符号を付してその説明を省略する。
【００２９】
本実施例における洗車ブラシ９は、図６に示すように、断面略Ｙ字状の複数の連結片１０のそれぞれの下端を、回転軸２の周方向に均一に、且つ長手方向に、接着、ネジ止め、リベット止め等の方法で固着し、連結片１０の上部のＹ字部１０ａで、清掃体１１の山折り部１１ａを挟持して、回転軸２の周方向に複数の空洞部１１ｂを形成するようにしたものである。なお、連結片１０は、合成樹脂発泡体或いは合成ゴムなどの弾性材料から形成されている。
【００３０】
本実施例における洗車ブラシ９は、以上のように構成されているので、連結片１０の高さ、硬度、厚みなどを変えることで、同じ清掃体１１を用いながら、その撓み性能を変えることが出来るので、清掃体１１を共用部品としながら、連結片１０を変えるだけで、洗浄性能或いは、洗浄対象が異なる洗車装置に広く適用することが出来るようになる。
【００３１】
(実施例３)
図７（ａ）は、本発明の第３の実施例における洗車ブラシの部分斜視図、（ｂ）は、同洗車ブラシの清掃体の固定方法を示す部分側面図である。なお、上記実施例と同一部品については、同一符号を付してその説明を省略する。
【００３２】
本実施例における洗車ブラシ１２は、図７に示すように、回転軸２に固着される清掃体１３を、２つの円筒状の部材１３ａ、１３ｂで形成すると共に、外側の部材１３ａで、回転軸２の周方向に形成された複数の空洞部１４のそれぞれを、他方の部材１３ｂで二つに分割したものである。なお、上記部材１３ａの材質は、上記第１の実施例における清掃体３のそれと同一である。また、部材１３ａの内側に位置する部材１３ｂの材質は、上記部材１３ａと同じでも良く、更には、ポリエチレン、ゴム材でも良いが、洗浄液に対し、化学的に耐久性を有するものが望ましい。本実施例では、回転軸２への、両部材１３ａ、１３ｂの固定は、図７（ｂ）に示すように、リベット５を用いて行なっているが、特に、この固定方法に限定されるものではない。
【００３３】
以上のように、本実施例によれば、外側の部材１３ａで形成されたそれぞれの空洞部１４が、内側の部材１３ｂで複数に分割されることにより、清掃体１３のクッション性が強くなるので、その分、清掃体１３を被洗浄面に強く押し付けることが出来るようになり、洗浄性能、拭き取り性能を更に向上させることができる。
【００３４】
(実施例４)
図８は、本発明の第４の実施例における洗車ブラシの部分斜視図である。なお、上記実施例と同一部品については、同一符号を付してその説明を省略する。
【００３５】
本実施例における洗車ブラシ１５は、図８に示すように、１個の筒状の部材からなり回転軸２の周方向に複数の空洞部１７が形成されるように回転軸２に固着された清掃体１６の円周端部に、円筒状の第２の清掃体１８を接合して形成したものである。なお、第２の清掃体１８の材質及び筒状に形成する方法は、上記第１の実施例における清掃体３と同一なので、その説明は省略する。また、清掃体１６の材質は、第２の清掃体１８と同じでも良く、更には、ポリエチレン、ゴム材でも良いが、洗浄液に対し、化学的に耐久性を有するものが望ましい。
【００３６】
以上のように、本実施例によれば、第２の清掃体１８が被洗浄面の表面形状に応じて連続的に摺接すると共に、内側の清掃体１６がクッションの役目をして適度の力で第２の清掃体１８が被洗浄面に押し付けられるので、洗浄性能、拭き取り性能、磨き性能が飛躍的に向上する。また、第２の清掃体１８が円筒状なので、被洗浄面に連続的に摺接するようになり、洗浄時の洗浄音が抑制され静音化を図ることも出来る。
【００３７】
(実施例５)
図９は、本発明の第５の実施例における洗車装置の概略構成を示す正面図である。なお、上記実施例における洗車ブラシと同一部品については、同一符号を付してその説明を省略する。
【００３８】
図９において、本実施例における洗車装置５０は、車体（図示せず）の天面と、側面を洗浄する３つの洗車ブラシ３５と、それぞれの洗車ブラシ３５の回転軸３５ａを回転駆動する駆動手段３６と、車体に洗浄水及び洗浄剤を噴射する複数のノズル３８と、ノズル３８に洗浄剤や洗浄水を圧送するポンプ３９と、洗浄後の車体を乾燥させる乾燥手段４０と、洗車装置５０の運転の入り切りを行うための運転スイッチ４１と、駆動手段３６、ポンプ３９、乾燥手段４０の運転を制御する制御手段４２を備えている。
【００３９】
なお、洗車ブラシ３５は、上記実施例における洗車ブラシ１、９、１２、１５のいずれかと同一で、また、洗車ブラシ３５の回転軸３５ａも、同じく上記実施例における回転軸２と同一である。
【００４０】
以上のように構成された本実施例における洗車装置５０の動作、作用は、以下の通りである。
【００４１】
まず、使用者又は運転者が、車体を所定の場所に止めて、運転スイッチ４１を操作して洗車装置５０の運転を開始すると、制御手段４２により、駆動手段３６の運転が開始し、洗車ブラシ３５が回転し、同時にノズル３８より洗浄剤が噴射され、この状態で洗車装置５０が移動しながら、車体を洗浄する洗浄工程が行われる。
【００４２】
洗浄工程を終えると、すすぎ工程に移り、再び、洗車ブラシ３５が回転しながら、ノズル３８より、水が噴射されてすすぎが行なわれる。使用者又は運転者が、予めワックスがけを選択している場合は、すすぎ工程の後に、ワックスがけが自動で行なわれる。そして最後に、洗車装置５０が移動しながら乾燥手段４０から車体に向けて高温の空気が高速で吹き付けられ、水の弾き飛ばしと同時に車体を乾燥させる乾燥工程が行なわれ、全工程が終了する。
【００４３】
以上のように、本実施例における洗車装置５０は、洗浄性能に優れ、しかも車体などの被洗浄面に傷をつけたり、打痕をつけることが無い洗車ブラシ３５を使用しているので、車体に対しやさしく、且つ洗浄性能に優れた洗車装置５０を提供することができる。
【産業上の利用可能性】
【００４４】
以上のように、本発明にかかる洗車ブラシは、車体などの被洗浄面に傷をつけたり、打痕をつけることが無く、洗浄性能に優れたもので、洗車装置に限らず、各種洗浄装置にも応用できるものである。
【図面の簡単な説明】
【００４５】
【図１】本発明の第１の実施例における洗車ブラシの斜視図
【図２】同洗車ブラシの清掃体の組み立て前の斜視図
【図３】同清掃体の固定方法を示す部分側面図
【図４】同洗車ブラシを取り付けた洗車装置で車体を洗浄する際の様子を示す断面図
【図５】（ａ）他の例を示す洗車ブラシの清掃体の斜視図、（ｂ）他の例を示す洗車ブラシの清掃体の斜視図
【図６】本発明の第２の実施例における洗車ブラシの部分斜視図
【図７】（ａ）本発明の第３の実施例における洗車ブラシの部分斜視図、（ｂ）同洗車ブラシの清掃体の固定方法を示す部分側面図
【図８】本発明の第４の実施例における洗車ブラシの部分斜視図
【図９】本発明の第５の実施例における洗車装置の概略構成を示す正面図
【符号の説明】
【００４６】
１、９、１２、１５  洗車ブラシ
２  回転軸
３、１１、１３、１６  清掃体
４、１１ｂ、１４、１７  空洞部
７  車体
１８  第２の清掃体
３６  駆動手段
３８  ノズル
３９  ポンプ
４０  乾燥手段
５０  洗車装置
【図１】
2008126787.tif 000003
【図２】
2008126787.tif 000004
【図３】
2008126787.tif 000005
【図４】
2008126787.tif 000006
【図５】
2008126787.tif 000007
【図６】
2008126787.tif 000008
【図７】
2008126787.tif 000009
【図８】
2008126787.tif 000010
【図９】
2008126787.tif 000011